(57)【要約】      （修正有）【課題】利用拡大を図るため、明るく華やかな雰囲気のコインランドリーを提供する。【解決手段】１又は複数の洗濯機や乾燥機等のランドリー機器２を備えて不特定多数の利用者に洗濯・乾燥手段を提供するコインランドリー１であって、該利用者に提供するランドリー機器２が、洗濯物を投入し取り出す洗濯槽３の開口を開閉する蓋体４の表面又は蓋体４の周縁部に発光素子からなる視覚ディスプレイ部５が設けられてなる。【選択図】図１
0003213163.tif 000002
【実用新案登録請求の範囲】
【請求項１】
１又は複数の洗濯機や乾燥機等のランドリー機器を備えて不特定多数の利用者に洗濯・乾燥手段を提供するコインランドリーであって、
該利用者に提供するランドリー機器が、洗濯物を投入し取り出す洗濯槽の開口を開閉する蓋体の表面又は蓋体の周縁部に発光素子からなる視覚ディスプレイ部が設けられてなるものであることを特徴とするコインランドリー。
【請求項２】
発光素子からなる前記視覚ディスプレイ部が、多数のＬＥＤからなるＬＥＤ列で構成され、前記ＬＥＤ列を構成する各ＬＥＤの発光による視覚ディスプレイ部の点灯を制御するための視覚ディスプレイ制御部を有してなるものであることを特徴とする請求項１に記載のコインランドリー。
【請求項３】
コインランドリー内に隣接して配設された複数のランドリー機器の視覚ディスプレイ部が、隣り合うランドリー機器においてはそれぞれ異なる発光色のＬＥＤ列で構成されてなるものであることを特徴とする請求項１又は２に記載のコインランドリー。
【請求項４】
１又は複数の洗濯機や乾燥機等のランドリー機器を備えて不特定多数の利用者に洗濯・乾燥手段を提供するコインランドリーであって、
該利用者に提供する前記ランドリー機器は、洗濯物を投入し取り出す洗濯槽の開口を開閉する蓋体表面又は蓋体の周縁部に設けられた多数の発光素子列からなる視覚ディスプレイ部と、該視覚ディスプレイ部の発光素子列の点灯を制御する点灯制御部とランドリー機器の動作を制御する機器制御部とからなる制御装置とを有し、
前記制御装置の機器制御部は、前記ランドリー機器の非稼働時と稼働時の複数の動作を制御し、前記点灯制御部は、前記ランドリー機器の動作状態に応じて前記視覚ディスプレイ部の点灯を制御し、
前記点灯制御部は、前記洗濯機の非稼働時と稼働時の複数の状況に応じて、前記視覚ディスプレイ部の発光パターンを変化する構成とされてなるものであることを特徴とするコインランドリー。
【考案の詳細な説明】
【技術分野】
【０００１】
本考案は、洗濯機や乾燥機等のランドリー機器を備えて利用者に洗濯・乾燥手段を提供するコインランドリーに関する。
【背景技術】
【０００２】
従来より、店舗内に複数の洗濯機や乾燥機等のランドリー機器を設置し、不特定多数の利用者に有料で洗濯・乾燥手段を提供する施設が、コインランドリーと呼ばれ広く普及してきている。
このコインランドリーは、かつては洗濯機を所有しない単身者が主に利用するものとの認識がされていたが、近年では、洗濯機や乾燥機を所有していないという理由だけでなく、梅雨時など天候が悪く洗濯物が乾かずに貯まってしまったとか、高層マンション住まいで洗濯物を戸外に干せないとか、あるいはアレルギー体質で布団やカーペットなどを頻繁に洗濯しなければならない等、様々な用途でコインランドリーが利用されている。
【０００３】
そのため、近年では、利便性を高めた様々なコインランドリーが提供されている。
例えば、特開２００５−３３９０４６号公報において、ランドリー店舗に設置された複数のランドリー機器の中に今、使用されていない機器があるか否かの確認や、自らが使用中のランドリー機器の運転の終了時間等を、携帯電話等の携帯情報端末を利用して確認できるランドリーシステムが開示されている。
このシステムによれば、 ランドリー店舗を利用しようとする者の住所に最も近いなど、生活圏内又はその近辺にあるランドリー店舗が容易に検索でき、そのランドリー店舗に設置されているランドリー機器の運転状況を携帯電話等で容易に確認できるとされているので、全ランドリー機器が使用中のランドリー店舗に赴く無駄足が防止でき、また、自らが使用中のランドリー機器の運転が終了する時間を忘れてしまって、早めに取りに行って無駄に店舗内で時間を潰すこともなく、終了時間間近まで他の用を果たせるという利便性が得られ、効率的にコインランドリーを利用することができる。
【先行技術文献】
【特許文献】
【０００４】
【特許文献１】特開２００５−３３９０４６号公報
【考案の概要】
【考案が解決しようとする課題】
【０００５】
コインランドリーの利便性を高めるために上記特許文献１に記載されたような様々な改良が図られていても、「コインランドリー」に、暗いとか、汚いなどといった負の印象を持っている人が少なくなく、利用拡大の足かせとなっている。これは、コインランドリーが無人の店舗であり、しかも２４時間深夜でも営業していること、そのため利用者の少ない深夜にはランドリー機器を使用する目的でない人の出入りが見られることなどから生じたものと思われ、その印象を払うのは容易ではない。
また、洗濯機を所有しない人が減少したことも利用拡大を妨げる要因となっている。
さらに、コインランドリーには、ランドリー機器が配置されているだけで殺風景であり、洗濯中は退屈で仕上がりまでの時間が長く感じられ、子供を連れていかなければならない人に利用を躊躇させることにもなっている。
本考案は、上記問題点に鑑み、コインランドリーの印象を向上させ、明るく、楽しい雰囲気をもたせ、コインランドリーの利用の促進を図ることを目的とする。
【課題を解決するための手段】
【０００６】
本考案者は上記課題を下記の手段により解決した。
（１）１又は複数の洗濯機や乾燥機等のランドリー機器を備えて不特定多数の利用者に洗濯・乾燥手段を提供するコインランドリーであって、
該利用者に提供するランドリー機器が、洗濯物を投入し取り出す洗濯槽の開口を開閉する蓋体の表面又は蓋体の周縁部に発光素子からなる視覚ディスプレイ部が設けられてなるものであることを特徴とするコインランドリー。
（２）発光素子からなる前記視覚ディスプレイ部が、多数のＬＥＤからなるＬＥＤ列で構成され、前記ＬＥＤ列を構成する各ＬＥＤの発光による視覚ディスプレイ部の点灯を制御するための視覚ディスプレイ制御部を有してなるものであることを特徴とする前記（１）に記載のコインランドリー。
（３）コインランドリー内に隣接して配設された複数のランドリー機器の視覚ディスプレイ部が、隣り合うランドリー機器においてはそれぞれ異なる発光色のＬＥＤ列で構成されてなるものであることを特徴とする前記（１）又は（２）に記載のコインランドリー。
（４）１又は複数の洗濯機や乾燥機等のランドリー機器を備えて不特定多数の利用者に洗濯・乾燥手段を提供するコインランドリーであって、
該利用者に提供する前記ランドリー機器は、洗濯物を投入し取り出す洗濯槽の開口を開閉する蓋体表面又は蓋体の周縁部に設けられた多数の発光素子列からなる視覚ディスプレイ部と、該視覚ディスプレイ部の発光素子列の点灯を制御する点灯制御部とランドリー機器の動作を制御する機器制御部とからなる制御装置とを有し、
前記制御装置の機器制御部は、前記ランドリー機器の非稼働時と稼働時の複数の動作を制御し、前記点灯制御部は、前記ランドリー機器の動作状態に応じて前記視覚ディスプレイ部の点灯を制御し、
前記点灯制御部は、前記洗濯機の非稼働時と稼働時の複数の状況に応じて、前記視覚ディスプレイ部の発光パターンを変化する構成とされてなるものであることを特徴とするコインランドリー。
【考案の効果】
【０００７】
本考案のコインランドリーによって、下記の効果が発揮される。
〈１〉本考案のコインランドリーは、１又は複数の洗濯機や乾燥機等のランドリー機器を備えて不特定多数の利用者に洗濯・乾燥手段を提供するコインランドリーであって、
該利用者に提供するランドリー機器が、洗濯物を投入し取り出す洗濯槽の開口を開閉する蓋体の表面又は蓋体の周縁部に設けた発光素子からなる視覚ディスプレイ部を有するものであることから、発光素子の点灯によって明るく華やかな雰囲気のコインランドリーが提供できる。
〈２〉また、前記発光素子からなる前記視覚ディスプレイ部が、多数のＬＥＤからなるＬＥＤ列で構成され、前記ＬＥＤ列を構成する各ＬＥＤの発光による視覚ディスプレイ部の点灯状態を制御する視覚ディスプレイ制御部を有しているので、視覚ディスプレイ部のＬＥＤ列を様々な点灯パターンで点灯でき、利用者を楽しませることができるコインランドリーが提供できる。
〈３〉さらにコインランドリー内に隣接して配設された複数のランドリー機器の視覚ディスプレイ部が、隣り合うランドリー機器においてはそれぞれ異なる発光色のＬＥＤ列で構成されているので、前記〈１〉及び〈２〉の効果と合わせて、色彩変化に富んだ空間のコインランドリーが提供でき、洗濯中の待ち時間も退屈せず、子供を連れていきやすく、コインランドリーの利用の促進を図ることができる。
〈４〉そして、本考案のコインランドリーは、１又は複数の洗濯機や乾燥機等のランドリー機器を備えて不特定多数の利用者に洗濯・乾燥手段を提供するコインランドリーであって、
該利用者に提供する前記ランドリー機器は、洗濯物を投入し取り出す洗濯槽の開口を開閉する蓋体表面又は蓋体の周縁部に設けられた多数の発光素子列からなる視覚ディスプレイ部と、該視覚ディスプレイ部の発光素子列の点灯を制御する点灯制御部とランドリー機器の動作を制御する機器制御部とからなる制御装置とを有し、
前記制御装置の機器制御部は、前記ランドリー機器の非稼働時と稼働時の複数の動作を制御し、前記点灯制御部は、前記ランドリー機器の動作状態に応じて前記視覚ディスプレイ部の点灯を制御し、
前記点灯制御部は、前記洗濯機の非稼働時と稼働時の複数の状況に応じて、前記視覚ディスプレイ部の発光パターンを変化する構成とされてなるので、前記〈１〉〜〈３〉に記載した効果に加えて、各ランドリー機器の動作状態が視覚ディスプレイ部の発光素子列の点灯パターンによって一目で確認でき、さらにこの点灯パターンがコインランドリー店舗外から見えるようにしておけば、使用されていないランドリー機器の有無を店外で知り得ることとなり、利用者の利便性が高まり、利用拡大が図れる。
【図面の簡単な説明】
【０００８】
【図１】本考案のコインランドリーの内部構成の説明図
【図２】本考案のコインランドリーに備えられたランドリー機器の正面図
【図３】本考案のコインランドリーのブロック図
【図４】本考案のコインランドリーの制御システムのフローチャート
【考案を実施するための形態】
【０００９】
本考案のコインランドリーの実施例を図に基づいて説明する。
図１は本考案のコインランドリーの説明用斜視図、図２は本考案のコインランドリーに備えられるランドリー機器の正面図である。
図中、１はコインランドリー、２はランドリー機器、３は洗濯槽、４は蓋体、５は視覚ディスプレイ部であり、６はＬＥＤ列、６ａはＬＥＤである。
【００１０】
本考案のコインランドリー１は、図１に示すように、１又は複数の洗濯機や乾燥機等のランドリー機器２を備えて不特定多数の利用者に洗濯・乾燥手段を提供するものである。
コインランドリー１における洗濯機や乾燥機等のランドリー機器２は、硬貨を投入することで稼働するよう制御されている。なお、本考案においては「コインランドリー」と称しているが、硬貨を投入することにより稼働するものに限らず、ＩＣカードや電子マネーなど硬貨によらずに稼働するものも含む。
また、コインランドリー１に備えられる洗濯機や乾燥機等のランドリー機器２は、洗濯・乾燥手段としてコインランドリー１で使用される機器全般を含めるものであり、洗濯機能や乾燥機能のみを備えた機器や、洗濯と乾燥の両方を備えた機器、靴の洗濯用や乾燥用の機器、布団用の大型の洗濯物専用の機器等すべて含まれ、特に限定されることはない。
そして、本考案において、前記ランドリー機器２は、洗濯物を投入し取り出す洗濯槽３の開口を開閉する蓋体４の表面又は蓋体の周縁部に発光素子からなる視覚ディスプレイ部５が設けられてなる。
【００１１】
本考案のコインランドリー１における発光素子からなる前記視覚ディスプレイ部５は、発光素子として多数のＬＥＤ６ａからなるＬＥＤ列６で構成される。
そして、前記多数のＬＥＤ６ａは、ＬＥＤ列６の点灯を制御する視覚ディスプレイ制御部６０により制御される。したがって、各ＬＥＤ６ａの発光による視覚ディスプレイ部５の点灯は、前記視覚ディスプレイ制御部６０により制御される。
視覚ディスプレイ制御部６０は、複数の点灯パターンがメモリされており、任意のランドリー機器２の視覚ディスプレイ部５の発光素子であるＬＥＤ６ａに点灯パターン信号を送り、該ＬＥＤ６ａの点灯を制御する。
点灯パターンとしては、例えば、ＬＥＤ列６のすべてのＬＥＤ６ａに同一のタイミングで一定時間点灯させ点滅効果を表現させるもの、隣接するＬＥＤ６ａの点灯タイミングを数秒ずつずらし回転効果を表現させるもの、また、回転効果を時計回りや反時計回りに表現させるものなど、様々な点灯パターンを採用することで、楽しく華やかな雰囲気にする。
また、少なくとも２種類、望ましくは多数の発光色を放つ発光素子を組み合わせることで、点灯パターンをさらに増やすことが可能となる。
そして、コインランドリー１内に隣接して配設された複数のランドリー機器２の視覚ディスプレイ部５が、隣り合うランドリー機器２においてはそれぞれ異なる発光色のＬＥＤ列６で構成することで、コインランドリー１全体で様々な点灯パターンによる光の共演を楽しむことができ、色彩変化に富んだ空間を作り出すことができ、洗濯中の待機時間を退屈させることはない。
【００１２】
本実施例においては、蓋体４の表面に視覚ディスプレイ部５が設けられているが、視覚ディスプレイ部５は、蓋体４の周縁部に設けてもよく、また、蓋体ではなく、ランドリー機器２の表面に設けてもよい。すなわち、本考案において視覚ディスプレイ部５の設置箇所は、コインランドリー１を明るく華やかな空間にするための演出的効果が期待できる箇所であれば、設置箇所を限定されない。
なお、本実施例におけるコインランドリー１は、新規のコインランドリー１だけでなく、既存のコインランドリー１においても、ランドリー機器２に視覚ディスプレイ部５を配置することにより、同様の効果を奏することが期待できる。
【００１３】
本考案におけるその他の実施例を図３及び図４に基づいて説明する。
図３は本考案のコインランドリーのブロック図、図４は本考案のコインランドリーの制御システムのフローチャートである。
その他の実施例におけるコインランドリー１は、図３に示すように、視覚ディスプレイ部５の発光素子列の点灯を制御する点灯制御部とランドリー機器の動作を制御する機器制御部とからなる制御装置とを備える。
前記機器制御部は、前記ランドリー機器の非稼働時と稼働時の複数の動作を制御する。
一方、前記点灯制御部は、前記ランドリー機器の動作状態に応じて前記視覚ディスプレイ部の点灯を制御する。
そして、前記制御装置は、機器制御部と点灯制御部の他、ＣＰＵを備えた演算部、入力側インターフェース、出力側インターフェースが備えられ、前記演算部は、洗濯（乾燥）実行プログラム格納メモリと、ＬＥＤ点灯パターンデータ格納メモリにあらかじめ設定された情報に基づいて、機器制御部及び点灯制御部の制御指示を与える。
なお、入力側インターフェースには、例えば蓋体開閉センサや時間、温度等の設定パネルが接続され、一方出力側インターフェースには、洗濯機や乾燥機などのランドリー機器、視覚ディスプレイ部が接続され、制御装置からの信号により制御される構成となっている。
この構成により、前記制御装置の点灯制御部は、前記洗濯機の非稼働時と稼働時の複数の状況に応じて、前記視覚ディスプレイ部の発光パターンを変化する構成とすることができる。
【００１４】
その他の実施例における制御の例を図４のフローチャートに基づいて説明する。
ＬＥＤ点灯パターンデータ格納メモリには、あらかじめパターンＡ〜Ｄの発光パターンが記録されているものとする。
ＳＴＡＲＴ時において、視覚ディスプレイ部５におけるＬＥＤは、パターンＡで点灯している。これは例えば、ランドリー機器２の主電源がオンになった後、利用者により稼働されるまでの待機状態であり、すなわち、パターンＡが点灯している時は、該ランドリー機器２は非稼働であることがわかる。
そして、ステップ１において、利用者により衣類投入がなされ、温度や時間設定等がなされる。
その後、ステップ２において、コインが投入されたか否かの確認がなされ、コインが投入されるまで該確認を行う。
コインが投入された場合には、ステップ３において、利用者が指示した時間と投入された金額のチェックがなされる。
そして、ステップ４において、投入されたコインの金額の確認がなされ、不足している場合には、一定時間経過後にコインを返却し、再度コインが投入されたか否かの確認をする。
そして、投入されたコインの金額が一致した時には、ステップ５において、視覚ディスプレイ部５におけるＬＥＤは、パターンＢで点灯する。
これは、該ランドリー機器２が、現在使用中であることを示す点灯パターンとなっている。
【００１５】
そして、ＬＥＤの点灯パターンＢの点灯と同時に、洗濯・乾燥が実行される。（ステップ６）
そして、ステップ７では、利用者が設定した時間までの時間を確認し、設定時間の例えば５分前であれば、ＬＥＤの点灯パターンをパターンＣに切り換える（ステップ８）。機器に表示画面がある場合には、その旨を該表示画面に表示する。
パターンＣに切り替わることにより、該ランドリー機器は、所定時間経過後に稼働が終了することが分かる。
そして、ステップ９において、設定時間が到達したか否かの確認がなされ、設定時間に到達した場合、ＬＥＤの点灯パターンがパターンＤに切り替わり、該ランドリー機器の稼働が終了したことを示す点灯パターンが表示される（ステップ１０）。
この場合も、機器に表示画面がある場合には、その旨を該表示画面に表示する。
以上により洗濯が完了し、利用者は洗濯済み衣類を取り出し（ステップ１１）、該ランドリー機器は待機状態となる。
上記点灯パターンＡ〜Ｄは、例えば、
ａ．ランドリー機器の非稼働時である「待機中」を示す点灯パターンＡは、ブルーの時計回りの回転を示す点灯、
ｂ．ランドリー機器の稼働時である「洗濯・乾燥中」を示す点灯パターンＢは、緑の２秒間隔の点灯、
ｃ．もうじき稼働が終了することを示すパターンＣは黄色の２秒間隔の点灯、
ｄ．稼働が終了し洗濯済み衣服の取り出し前であることを示すパターンＤは赤色の１秒間隔の点灯、
というように点灯パターンを決めることで、利用者はランドリー機器の動作状態を、視覚ディスプレイ部５を視認するだけで容易に確認することができる。
【００１６】
上記フローチャートは、制御の一例であるが、洗濯作業だけでなく、乾燥作業やその他ランドリー機器の稼働時の動作内容によってパターンを割り当てることができる。
したがって、本考案によれば、利用者は、各ランドリー機器の動作状態を視覚ディスプレイ部の発光素子列の点灯パターンにより、視覚的に確認することができる構成となる。
さらに、視覚ディスプレイ部は店舗外からも確認できるので、ランドリー機器がすべて稼働中の場合など、店舗に入ることなく確認でき利用者の利便性が高まる構成となっている。
【符号の説明】
【００１７】
１  コインランドリー
２  ランドリー機器
３  洗濯槽
４  蓋体
５  視覚ディスプレイ部
６  ＬＥＤ列
６ａ  ＬＥＤ
６０  視覚ディスプレイ制御部
【図１】
0003213163.tif 000003
【図２】
0003213163.tif 000004
【図３】
0003213163.tif 000005
【図４】
0003213163.tif 000006